(57)【特許請求の範囲】
【請求項１】
熱源、ファン、該ファンを駆動するモータ及びマイナスイオン発生器を内蔵したヘアードライヤにおいて、
対向電極及び複数の針状マイナスイオン発生電極が前記熱源を保持する絶縁板の空気吹き出し口近傍に設けられ、前記複数の針状マイナスイオン発生電極は前記絶縁板に配置された板状リード部材を介して前記マイナスイオン発生器に接続し、前記対向電極は前記絶縁板に固定して前記マイナスイオン発生器に接続されており、
前記絶縁板は前記熱源が収納された熱風発生室を熱風が流通可能な複数の空間に仕切るように配設され、前記針状マイナスイオン発生電極は前記絶縁板により仕切られたそれぞれの空間毎に配設されていることを特徴とするヘアードライヤ。
【請求項２】
前記針状マイナスイオン発生電極は前記絶縁板の交差部にも設けられていることを特徴とする請求項１に記載のヘアードライヤ。
【発明の詳細な説明】
【技術分野】
【０００１】
この発明は、ヘアードライヤに係り、詳しくはマイナスイオン発生器を備えたヘアードライヤに関し、特に熱風発生室に複数の針状マイナスイオン発生電極を備えてヘアードライヤからの風中にマイナスオンを含有させ易くするとともに、絶縁板として使用されるマイカ製絶縁板を板状の導電部材で挟持することによってマイカの劈開を防止することができるようにしたヘアードライヤに関する。
【背景技術】
【０００２】
従来、ヘアードライヤあるいはハンドドライヤなどのヘアードライヤ類（以下、総称して「へアードライヤ」という）において、へアードライヤ本体の風の吐出し口から吐き出される空気中に、細胞の活性化、抵抗力の増進、自律神経の調整など人体に好影響を与えるといわれるマイナスイオンを含有させるようにして、このマイナスイオンにより頭髪に好影響を与えるようにしたヘアードライヤが知られている。
【０００３】
この種のヘアードライヤの一例として、下記特許文献１に開示されているヘアードライヤ５０を図４に示した回路図を用いて説明する。このヘアードライヤ５０は、ハウジングに吐き出し口を有する筒部、ハンドル部、及び収納部を形成し、収納部にＡＣモータ５２、ファン、熱源５３及び高圧発生回路５４を搭載している。このヘアードライヤ５０の高圧発生回路５４は、一次巻線と二次巻線とを有するトランス５５、コンデンサ及び抵抗からなるエレクトロニクス構成要素（図示せず）を内部に備えており、この高圧発生回路５４のトランス５５の二次側出力と針状マイナスイオン発生電極５６とをリード線によって接続し、高圧発生回路５４内のトランス５５の一次巻線側に交流電圧を入力して二次側の出力電圧を針状マイナスイオン発生電極５６に供給し、針状マイナスイオン発生電極５６の先端から放電を起こさせることによりマイナスイオンを発生させるようにしている。
【０００４】
また、下記特許文献２に開示されているヘアードライヤ６１は、図５に示したように、直流モータ６２と、この直流モータ６２の回転軸に固定されたファン６３と、電熱線からなるヒータ６４と、マイナスイオンを発生するイオン電極６８を備えたマイナスイオン発生器６５と、風の吹き出し口を塞ぐ網状の導電性部品であるグリル６６と、を樹脂製の円筒状ハウジング６７内に配置した構成を備えている。そして、このヘアードライヤ６１においては、安定して多くのマイナスイオンを放出できるようにするため、図６の回路図で示すように、空気流発生の駆動源となる直流モータ６２に電力を供給する整流器６２と空気流にマイナスイオンを放出するマイナスイオン発生器６５とヒータＨＲとがそれぞれ交流電源７１に対して並列に接続され、空気流のうちマイナスイオン発生器６５より下流側にあるグリル６６が直流モータ６２のマイナス側端子６９に対して導電材料７０によって接続されている。
【特許文献１】特開２００２−６５３４４号公報（図２、段落［００１８］〜［００２１］）
【特許文献２】特開２００４−２７５６３９号公報（図１、図２、段落［０００５］〜［００１２］）
【発明の開示】
【発明が解決しようとする課題】
【０００５】
上記特許文献１及び２に開示されたヘアードライヤによれば、濡れた毛を乾燥させたり、ブラシ等とともに使用したりしてブローをする場合には、髪に優しいマイナスイオンを発生させているために、髪への保湿効果等が期待される。しかしながら、マイナスイオン発生用の針状マイナスイオン発生電極は、いずれのヘアードライヤの場合もヘアードライヤの先端部に設けた１本のみであって、十分なマイナスイオンを発生させることができない場合があり、しかも、マイナスイオンの発生状態は不安定であった。
【０００６】
また、ヘアードライヤの温風発生室の熱源を支持する絶縁板は耐火性と絶縁性の点から通常マイカが使われているが、このマイカ製の絶縁板は劈開しやすいために剥離しがちである。しかしながら、従来のヘアードライヤにおいてはこのようなマイカ製絶縁板の劈開性に対しては実質的に何らの対処もなされていなかった。
【０００７】
本願の発明者は、前記の問題点を解決すべく種々検討を行った結果、ヘアードライヤのマイナスイオン発生器に着目し、従来１本であった針状マイナスイオン発生電極の数を増やすことによって十分なマイナスイオンの供給を実現するとともに、適切に配置した針状マイナスイオン発生電極の板状リード部材により絶縁板を両面から挟んで固定するようになせば、マイカ性絶縁板の劈開を防ぎ、品質のよい、優れたヘアードライヤが提供できることを見出し、本発明を完成するに至ったものである。
【０００８】
すなわち、本発明は、効率よくマイナスイオンを発生させて、頭髪や頭の皮膚に優しい大量のマイナスイオンを含んだ風を提供できるヘアードライヤを提供することを目的とするものである。
【０００９】
また、本発明は、多量のマイナスイオンを効率よく多量に発生することができるとともに、特に劈開しやすいマイカ製の絶縁板をマイナスイオン発生器の針状マイナスイオン発生電極や板状リード部材で挟持することによりマイカの劈開を防止でき、構成が簡単で製造しやすいヘアードライヤを提供することを目的とするものである。
【課題を解決するための手段】
【００１０】
上記目的を達成するために、請求項１のヘアードライヤに係る発明は、熱源、ファン、該ファンを駆動するモータ及びマイナスイオン発生器を内蔵したヘアードライヤにおいて、対向電極及び複数の針状マイナスイオン発生電極が前記熱源を保持する絶縁板の空気吹き出し口近傍に設けられ、前記複数の針状マイナスイオン発生電極は前記絶縁板に配置された板状リード部材を介して前記マイナスイオン発生器に接続し、前記対向電極は前記絶縁板に固定して前記マイナスイオン発生器に接続されており、前記絶縁板は前記熱源が収納された熱風発生室を熱風が流通可能な複数の空間に仕切るように配設され、前記針状マイナスイオン発生電極は前記絶縁板により仕切られたそれぞれの空間毎に配設されていることを特徴とする。
【００１２】
また、請求項２に係る発明は、請求項１に記載のヘアードライヤにおいて、前記針状マイナスイオン発生電極は前記絶縁板の交差部にも設けられていることを特徴とする。
【発明の効果】
【００１６】
本発明は上記構成を備えることにより、以下に示すような優れた効果を奏する。すなわち、請求項１の発明によれば、ヘアードライヤの熱源を保持する絶縁板にマイナスイオン発生器に接続される針状マイナスイオン発生電極を複数配置したので、多量のマイナスイオンを効率的に発生させることができ、毛髪や皮膚に対する影響が優しく、また毛髪の根元や皮膚に付着したゴミや埃、あるいは皮膚から分泌される臭いの元を除去しやすいマイナスイオン発生器付きのヘアードライヤが得られる。
【００１７】
又、請求項１の発明によれば、複数の針状マイナスイオン発生電極を絶縁板に仕切られた各空間及び絶縁板交差部にそれぞれ設けたから、それぞれの空間毎に効率よくマイナスイオンを発生でき、しかもマイナスイオンが均一に分散された風が得られるヘヤ−ドライヤが得られる。
【００１８】
請求項２の発明によれば、請求項１に係る発明の効果に加えて、更に絶縁板の交差部にも針状マイナスイオン発生電極を設けたから、針状マイナスイオン発生電極の配置密度がより高密度となるため、更に多量のマイナスイオンを効率よく発生させることができるヘアードライヤが得られる。
【発明を実施するための最良の形態】
【００２２】
以下、図面を参照して、本発明の最良の実施形態を説明する。但し、以下に示す実施形態は、本発明の技術思想を具体化するためのヘアードライヤを例示するものであって、本発明をこのヘアードライヤに特定することを意図するものではなく、特許請求の範囲に含まれるその他の実施形態のものにも等しく適用し得るものである。
【実施例】
【００２３】
図１は本発明に係るヘアードライヤの一実施例の断面図、図２は図１のヘアードライヤの本体内に設けられる絶縁板を示し、図２（ａ）は平面図、図２（ｂ）は右側面図、図２（ｃ）は底面図、図２（ｄ）は左側面図、図３はヘアードライヤの空気吹き出し口側から見た絶縁板の正面図である。なお、図１に示す熱源の構成は簡略化して示しており、詳細な構造については図２に詳述している。
【００２４】
この実施例のヘアードライヤ１０は、図１に示すように、筒型をしたヘアードライヤ本体１１とこの本体１１の下面の後端部近くに取り付けられたハンドル１２を備えている。このうち、ヘアードライヤ本体１１には、熱源１８を備えた熱風発生室１７、ファン２０ａ及びファン２０ａを駆動するモータ１９が内蔵されており、また、ヘアードライヤ本体１１の先端空気吹き出し口には回転整流形のアタッチメント１６が取り付けられている。更に、ハンドル１２は、ヘアードライヤ本体１１のケース１３の下面から突出した保持部１１ａを支点にして軸支され、折りたたみ可能にヘアードライヤ本体１１に取り付けられているとともに、内部に電源スイッチ１４が設けられている。
【００２５】
このヘアードライヤ１０のケース１３は前方の部分１３ａと後方の部分１３ｂとに分かれており、後方の部分１３ｂには後部カバー１５が取り付けられている。ケース１３の前方の部分１３ａと後方の部分１３ｂ及びアタッチメント１６は、ポリカーボネートや耐熱性ＡＢＳ樹脂等の耐熱性プラスチックスの成型品により構成される。
【００２６】
図１に示すように、ケース１３の前方の部分１３ａは縦断面の輪郭が前方に向けやや先細になった略円筒形である。ケース１３の前方の部分１３ａの前端開口部は風の吹き出し口となっており、この前端開口部にアタッチメント１６が着脱自在に取り付けられている。後方の部分１３ｂは、短い円筒状で前方の部分１３ａに突き合わせて接合されている。またヘアードライヤ本体１１の後端、すなわちケース１３の後方の部分１３ｂの後端は後部カバー１５が取り付けられており、この後部カバー１５は外気を導入するための複数の孔からなる吸気口、例えば多数の蜂の巣状の孔を備えた円形ドーム形状の金属板からなっている。
【００２７】
熱風発生室１７は、その外壁１７ａの内方に絶縁外筒１７ｂが配置され、絶縁外筒１７ｂの内部にはニクロム線などからなる熱源１８が設置されている。図１に示したように、熱風発生室１７には複数枚の耐火絶縁性の絶縁板２２が、ヘアードライヤ本体１１のモータ１９を収納する絶縁筒２３から前部にかけて、放射状に等間隔でヘアードライヤ本体１１の軸方向に沿って張り出すように配置されており、この絶縁板２２によって熱風発生室１７内が熱風が流通できる複数の空間に分割されている。この絶縁板２２には通常マイカが用いられ、そしてこの絶縁板２２の外縁をつなぐようにニクロム線１８ａ等からなる熱源１８が設けられている。
【００２８】
この熱風発生室１７の外周は、絶縁筒２３に対し同心円状に一体化されたマイカシートのような絶縁外筒１７ｂに囲まれ、絶縁外筒１７ｂが熱風発生室１７の外壁１７ａの内側に挿入され嵌め合わされている。熱風発生室１７の外壁１７ａは、アルミニウム、亜鉛メッキ鋼板、ステンレススチールのような光沢や明色性に優れ、熱線を反射しやすい金属で形成され、熱線の遮熱手段として作用する。さらに外壁１７ａの基本形状は、その縦断面が熱風発生室１７の軸方向に沿って複数の波形の凹凸を持つように成形されている。なお、熱風発生室１７の後部にはマイナスイオン発生器２４が設けられおり、ヘアードライヤ本体１１の先端部に設けられたマイナスイオンを発生させる針状マイナスイオン発生電極Ｄ１〜Ｄ５とその対向電極Ｄ６とに接続されている。
【００２９】
組立の際には、熱源１８とモータ１９をヘアードライヤ本体１１のケース１３の前後に配し、次いでこれらに絶縁外筒１７ｂと外壁１７ａを被せる。また、送風室２０にファン２０ａを組み込み、送風室２０をケース１３の後方の部分１３ｂに収める。そしてケース１３の前方の部分１３ａの後方から上述した工程で組み立てられた熱源１８等からなる組立体を挿入し、ケース１３の前方の部分１３ａにケース１３の後方の部分１３ｂを突合せて接合する。これにより、ケース１３の内部に熱源１８、モータ１９を含む熱風発生室１７、及び送風室２０が組み込まれる。更にケース１３の先端空気吹き出し口に回転整流形のアタッチメント１６を取り付ける。
【００３０】
これにより熱源１８の後方には風を送るファン２０ａが取り付けられたモータ１９が、絶縁筒２３の内部に嵌め合わされた状態で設置される。またモータ１９の後方には送風室２０が位置し、送風室２０にモータ１９に連結されたファン２０ａが配設されている。送風室２０はファン２０ａにより、後部カバー１５の吸気口から取り込んだ空気を熱風発生室１７に送りこみ、これによって発生した風は、絶縁板２２によって複数に区画された空間内をヘアードライヤ本体１１の前方に取り付けられたアタッチメント１６に向かって送られる。
【００３１】
ヘアードライヤ本体１１のケース１３は、透明又は半透明であっても、不透明であっても、任意の色に着色されていてもよく、また模様が施されていてもよい。また、熱風発生室１７の外壁１７ａとケース１３との間に生じた空間は、そこに確保した空気層による遮熱効果を生む。
【００３２】
次に、絶縁板２２の構成について説明する。図２は絶縁板２２とこの絶縁板２２上に設けられる配線について説明する図である。この絶縁板２２は２枚のマイカ板を所定の形に切り抜き、この２枚のマイカ板のそれぞれの中央に長手方向に沿って互いに反対方向に設けられた切り込み同士を嵌合させることで十字型に固定したものである。絶縁板２２は、マイナスイオンを発生させるための針状マイナスイオン発生電極への給電に必要な配線が設けられているとともに、熱源１８の発熱線等への給電を行うための配線を備えている。なお、図３は絶縁板の正面図である。
【００３３】
図２（ａ）に示したように、マイナスイオン発生器２４から引き出した正極側配線は、絶縁板２２の後部で鳩目ｅ３によって固定され、この鳩目ｅ３から絶縁板２２の長手方向に所定距離移離れた位置に設けられた鳩目ｅ１に沿って延びる打ち抜いた導電性金属薄板で形成された板状リード部材３１に接続されている。この板状リード部材３１は鳩目ｅ１でさらにヘアードライヤ本体１１の先端空気吹き出し口近傍に配置した絶縁板２２の短手方向に延びる板状リード部材３２に接続されているとともに、この板状リード部材３２が鳩目ｅ２によって絶縁板２２に固定され、この鳩目ｅ１、鳩目ｅ２は図２（ｃ）に示すように、絶縁板２２を貫通しており、板状リード部材３２とその裏面に配置されている板状リード部材３３とを固定している。
【００３４】
板状リード部材３２及び板状リード部材３３は、それらの長手方向先端部３２１、３２２、３３１、３３２が絶縁板２２を挟んで互いに離反する方向に角度をつけて曲げられ、それらの端部近傍に針状マイナスイオン発生電極Ｄ１〜Ｄ４を有している。さらに、２枚のマイカ板からなる絶縁板２２の交差部の切抜きに露呈した板状リード部材３２の中央部３２３にも針状マイナスイオン発生電極Ｄ５が設けられている。このように、熱源１８を保持する絶縁板２２にはマイナスイオン発生器２４のリード部材が配置固定され、それぞれのリード部材は針状マイナスイオン発生電極Ｄ１〜Ｄ５に接続されている。針状マイナスイオン発生電極Ｄ１〜Ｄ４は、マイナスイオン発生器２４から引き出し配線を分岐した先端に設置されることによって絶縁板２２で仕切られた４つの各空間に１本ずつ配置されており、さらに絶縁板２２交差部の中央部３２３に針状マイナスイオン発生電極Ｄ５が設けられている。
【００３５】
一方、マイナスイオン発生器２４から引き出された負極側配線は、図２（ｂ）の鳩目ｅ１２から導電性金属薄板で形成された板状リード部材３４で鳩目ｅ１１に接続され、さらに鳩目ｅ１１により、図２（ｄ）に示したように、ヘアードライヤ本体１１の先端空気吹き出し口近傍に配置した板状リード部材３５で形成した円環状の対向電極Ｄ６に接続されている。また、図３に示したように、絶縁板２２の前部の針状マイナスイオン発生電極Ｄ５の前方には対向電極Ｄ６が配置され、この対向電極Ｄ６は上述のようにマイナスイオン発生器２４の負極側に接続されている。なお、上述では対向電極Ｄ６を板状リード部材３５で形成したが、これに限らず、板状リード部材３５を用いることなく対向電極Ｄ６を絶縁板２２に直接設けるようにしても良い。
【００３６】
さらに、絶縁板２２には、電源スイッチ１４を介して電源に接続されたリード線が図２（ａ）の鳩目ｅ６に接続され，鳩目ｅ６から熱源１８のニクロム線１８ａに接続され、また、ニクロム線１８ａは、絶縁板の外周に巻きつけられた後、底面で鳩目ｅ４に接続されている。鳩目ｅ４の上面側ではサーモスタット３９を介在させた板状リード部材３６で鳩目ｅ５に接続されてリード線に接続されるとともに、鳩目ｅ５の裏面で板状リード部材３７に接続されて鳩目ｅ７でヒューズ４０に接続され、鳩目ｅ１３の裏面でリード線に接続されている。また、図２（ｂ）の鳩目ｅ９は、抵抗４１、鳩目ｅ８と板状リード部材３８を介してリード線に接続されている。なお、符号４２は絶縁板の前端に取り付けた補強金具である。
【００３７】
以上のように、絶縁板２２は材料がマイカ製であり、絶縁板２２の表裏面に配置した複数の導電性金属薄板からなる板状リード部材３１〜３８はマイカ製絶縁板２２を挟んで鳩目ｅ１〜ｅ１４で固定されている。このようにマイカ製絶縁板２２は、板状リード部材と鳩目で補強されているので、マイカの劈開を防止することができる。なお、導電性金属薄板からなる板状リード部材は、その本数、敷設する長さについては特に限定されるものではない。しかしながら、本数は多いと作業工数が増加し、あまりに少ないと効果がないので、所望の効果のある数を選べばよい。この針状マイナスイオン発生電極に連なる板状リード部材は、導電性金属薄板の簡単な構成であって、ヘアードライヤの製造が簡単となるとともに、対向電極Ｄ６、板状導電部材３１〜３８及び絶縁板を容易に一体化できるため、製造が簡単で強硬な構成のヘアードライヤが得られる。
【００３８】
また、このようなヘアードライヤによれば、ヘアードライヤ本体の空気吹き出し口付近に針状マイナスイオン発生電極Ｄ１〜Ｄ５を複数設けてあるので、ドライヤ本体内を流れた空気が空気吹き出し口付近で収束されて発生したマイナスイオンが効果的に混合されて吹き出されることになり、マイナスイオンを効果的に利用した毛髪の手入れができるようになる。なお、ヘアードライヤ本体から供給される空気には、温風、冷風のみならずスチームを含むものであってもよい。
【００３９】
本発明によれば、ヘアードライヤ本体からマイナスイオンを効率よく、多量に、安定的に発生させることができるから、マイナスイオンが頭髪のキューティクルを保護するとともに、空気中や頭髪に存在している水分とマイナスイオンが結合して髪の分子配列を整えることによって、キューティクルの広がりを防止して髪を滑らかにすることができる。しかも、マイナスイオンは、髪の細胞内部に浸透して髪につやを出しながら適度の潤いを与えるので、熱風によりブローしたときであっても毛髪が保有水分を失ってばさばさになるのを防ぐことができる。また、髪に潤いが与えられていると、油や埃などが付着し難くなるし、さらに、髪の分子配列が整えられると、ブローが容易で、櫛やブラシのとおりがよくなり、所望の髪型に整髪しやすくなる。また、マイナスイオンは、ブローの際に頭皮表面に対する刺激を和らげることができるので、肌に優しく健康によい、などの効果が得られる。
【００４０】
以上には、電熱式のヘアードライヤを例として説明したが、本発明のマイナスイオン発生器の構造は、ヘアードライヤの構造や熱源の形式を限定するものではない。電熱式に限らず、他の加熱方式のヘアードライヤにも適用できるものである。また、使用される回路が交流モータであるか、直流モータ駆動回路であるかを問わず適用できることは明らかである。
【図面の簡単な説明】
【００４１】
【図１】図１は本発明に係るヘアードライヤの一実施例の断面図である。
【図２】図２は図１のヘアードライヤの本体内に設けられる絶縁板を示し、図２（ａ）は平面図、図２（ｂ）は右側面図、図２（ｃ）は底面図、図２（ｄ）は左側面図である。
【図３】図３はヘアードライヤの空気吹き出し口側から見た絶縁板の正面図である。
【図４】図４は従来のヘアードライヤの回路図である。
【図５】図５は従来のヘアードライヤの断面図である。
【図６】図６は従来のヘアードライヤの回路図である。
【符号の説明】
【００４２】
１        ヘアードライヤ
１１      ドライヤ本体
１２      ハンドル
１３      ケース
１４      電源スイッチ
１５      後部カバー
１６      アタッチメント
１７      熱風発生室
１８      熱源
１８ａ    ニクロム線
１９      ファンモータ
２０      送風室
２０ａ    ファン
２１      吹き出しグリル
２２      絶縁板
２３      絶縁筒
２４      マイナスイオン発生器
３１〜３８  板状リード部材
Ｄ１〜Ｄ５  針状マイナスイオン発生電極
Ｄ６        対向電極
ｅ１〜ｅ１４    鳩目
【図１】
0004667224.tif 000002
【図２】
0004667224.tif 000003
【図３】
0004667224.tif 000004
【図４】
0004667224.tif 000005
【図５】
0004667224.tif 000006
【図６】
0004667224.tif 000007